(57)【要約】【課題】本発明は、停電時や、何らかのトラブルにより飼育水の溶存酸素濃度が低下した時等の緊急時に、コストをかけずに、飼育水に酸素供給のバックアップを要すことができる酸素供給装置を提供することを目的とする。【解決手段】陸上養殖の飼育水槽６中の飼育水７に酸素を供給するための酸素供給装置であって、元弁２を有する酸素ボンベ１と、前記酸素ボンベ１の出口側に設けられた電磁弁３と、を有し、前記元弁２は、常時「開」であり、前記電磁弁３は、通電時は「閉」となって酸素供給を待機させ、非通電時に、「開」となって酸素を供給する酸素供給装置。【選択図】図２
2018201343.tif 000002
【特許請求の範囲】
【請求項１】
陸上養殖の飼育水槽中の飼育水に酸素を供給するための酸素供給装置であって、
元弁を有する酸素ボンベと、
前記酸素ボンベの出口側に設けられた電磁弁と、を有し、
前記元弁は、常時「開」であり、前記電磁弁は、通電時は「閉」となって酸素供給を待機させ、非通電時に、「開」となって酸素を供給する酸素供給装置。
【請求項２】
前記非通電時が、停電時である請求項１に記載の酸素供給装置。
【請求項３】
前記酸素供給装置は、更に、電磁弁への通電を制御する制御装置を有し、前記飼育水の溶存酸素濃度が設定下限値以下となった場合にも、前記制御装置により電磁弁を「開」とし、酸素を供給する請求項１または２に記載の酸素供給装置。
【請求項４】
陸上養殖の飼育水に酸素供給装置を用いて酸素を供給する酸素供給方法であって、
前記酸素供給装置は、元弁を有する酸素ボンベと、前記酸素ボンベの出口側に設けられた電磁弁と、を有し、
前記元弁は、常時「開」であり、
前記電磁弁は、通電時は「閉」として酸素供給を待機させ、非通電時は、「開」として、酸素を供給するようにし、
非通電時に、電磁弁が「開」となることで飼育水に酸素を供給する酸素供給方法。
【請求項５】
前記非通電時が、停電時である請求項４に記載の酸素供給方法。
【請求項６】
更に、電磁弁への通電を制御する制御工程を有し、前記飼育水の溶存酸素濃度が設定下限値以下となった場合にも、前記制御工程により電磁弁を「開」とし、酸素を供給する請求項４または５に記載の酸素供給方法。
【発明の詳細な説明】
【技術分野】
【０００１】
本発明は、陸上養殖の飼育水槽中の飼育水へ酸素を供給する酸素供給装置及び酸素供給方法に関する。
【背景技術】
【０００２】
陸上養殖によって水産物を育成する飼育水槽においては、酸素の管理が重要である。常時の酸素供給の他、緊急時の酸素供給は事業を行う上でも重要である。
停電時には設備が停止して、酸素発生装置やブロワ一等からの酸素の供給が停止してしまう。酸素の供給が長時間停止すると、飼育魚が死滅してしまう。その為、停電時における酸素供給のバックアップが必要である。
例えば、特許文献１には、緊急時に酸素を供給する緊急酸素供給手段を有する魚介類の養殖装置が開示されている。停電などの緊急用として、蓄電池と自家発電機が設置されている。
【先行技術文献】
【特許文献】
【０００３】
【特許文献１】特許第５６２９２８８号公報
【発明の概要】
【発明が解決しようとする課題】
【０００４】
しかしながら、蓄電池や自家発電機の設置はイニシャルコスト高となり、メンテナンスを考えるとランニングコストもかかり、また常時使用する機器ではない為、事業性を困難にさせる可能性が高い。
本発明は、停電時や、何らかのトラブルにより飼育水の溶存酸素濃度が低下した時等の緊急時に、コストをかけずに、飼育水に酸素供給のバックアップを行うことができる酸素供給装置を提供することを目的とする。
【課題を解決するための手段】
【０００５】
上記課題を解決するための、本発明の酸素供給装置は、以下のとおりである。
（１）陸上養殖の飼育水槽中の飼育水に酸素を供給するための酸素供給装置であって、
元弁を有する酸素ボンベと、
前記酸素ボンベの出口側に設けられた電磁弁と、を有し、
前記元弁は、常時「開」であり、前記電磁弁は、通電時は「閉」となって酸素供給を待機させ、非通電時に、「開」となって酸素を供給する酸素供給装置。
（２）前記非通電時が、停電時である前記（１）に記載の酸素供給装置。
（３）前記酸素供給装置は、更に、電磁弁への通電を制御する制御装置を有し、前記飼育水の溶存酸素濃度が設定下限値以下となった場合にも、前記制御装置により電磁弁を「開」とし、酸素を供給する前記（１）または（２）に記載の酸素供給装置。
（４）陸上養殖の飼育水に酸素供給装置を用いて酸素を供給する酸素供給方法であって、
前記酸素供給装置は、元弁を有する酸素ボンベと、前記酸素ボンベの出口側に設けられた電磁弁と、を有し、
前記元弁は、常時「開」であり、
前記電磁弁は、通電時は「閉」として酸素供給を待機させ、非通電時は、「開」として、酸素を供給するようにし、
非通電時に、電磁弁が「開」となることで飼育水に酸素を供給する酸素供給方法。
（５）前記非通電時が、停電時である前記（４）に記載の酸素供給方法。
（６）更に、電磁弁への通電を制御する制御工程を有し、前記飼育水の溶存酸素濃度が設定下限値以下となった場合にも、前記制御工程により電磁弁を「開」とし、酸素を供給する前記（４）または（５）に記載の酸素供給方法。
【発明の効果】
【０００６】
本発明の酸素供給装置により、停電時や、何らかのトラブルにより飼育水の溶存酸素濃度が低下した時等の緊急時に、コストをかけずに、飼育水に酸素を供給することができる。
【図面の簡単な説明】
【０００７】
【図１】本発明の酸素供給装置の通常時の状態の一例を示す概略図である。
【図２】本発明の酸素供給装置の停電時の状態の一例を示す概略図である。
【図３】本発明の酸素供給装置の飼育水の酸素濃度が低下した際の状態の一例を示す概略図である。
【図４】飼育水のＤＯ値が設定下限値以下となり、本発明の酸素供給装置の電磁弁を「開」とした時のＤＯ値の変化を示すグラフの一例である。
【発明を実施するための形態】
【０００８】
陸上養殖施設では水産物を飼育している為、緊急時の対応は必須である。特に人がいない、夜間、休日のバックアップ体制は必要である。
蓄電池や自家発電機を設置することで、設備運転のバックアップ機能を保有出来るが、コスト高の為導入が出来ないことが多い。
また、陸上養殖施設では酸素ボンベを置いてあるケースが多い。
本発明は、その酸素ボンベを使用することにより、低コストで、停電時等の緊急時における酸素供給のパックアップが可能な酸素供給装置及び酸素供給方法を提供するものである。
【０００９】
本発明の酸素供給装置は、開閉弁である元弁を有する酸素ボンベと、酸素ボンベの出口側に設けた電磁弁とを有する。尚、酸素ボンベは圧力調整弁（二次圧調整弁）を具備していることが好ましい。
酸素ボンベの出口には流量調節用の直読式のマノメータ（流量計）を設置しておくと良い。事前に直読式マノメータで、酸素ボンベから流出する酸素供給量を設定しておくことが好ましい。
電磁弁の下流側には配管又はブレードホース、エアストーンを設置し、飼育水槽ヘ酸素を供給出来る様にする。
本発明においては電磁弁の選定が重要である。電磁弁としては、酸素用で、かつ通電していない時に「開」になる（ノーマルオープン）機器を選定する必要がある。
通電していない状況で「開」の機器を選定することで、停電時に「開」にすることが出来、酸素ボンベから酸素を供給することが出来る。
【００１０】
本発明の酸素供給装置は、陸上養殖における、停電時の酸素供給のバックアップ用として用いることができる。
常時に飼育水に酸素を供給する装置としては、一般に用いられている装置を用いることができる。
本発明の酸素供給装置は、常時は酸素ボンベの元弁は「開」となっており、電磁弁は通電される為、「閉」となって待機している。停電が発生した際、常時に飼育水に酸素を供給する装置は酸素の供給を停止するが、本発明の酸素供給装置は、電磁弁ヘの電源供給が止まり、非通電となると、電磁弁が「開」となり、元弁が常時「開」となっている為、酸素ボンベ内の酸素を飼育水槽に供給することができる。
【００１１】
酸素供給する飼育水槽の容量が大きい場合は、酸素ボンベ＋電磁弁のセットの数を増やして設置することもできる。
緊急時の時間は無人になる夜間や休日の時間帯だけバックアップが出来るように酸素ボンベの数を決めておくことが好ましい。
本発明は、これらのシステムを採用することで、無人時の対応を可能とし、自家発電装置などの設置も必要なく、コストをかけず、停電時の酸素供給のバックアップ機能を提供することが出来る。
【００１２】
また本発明の酸素供給装置は、上記の設備の他に、電磁弁への通電を制御し、電磁弁の開閉を制御する制御装置を有することもできる。
これにより、停電時に加え、停電時以外の酸素供給のバックアップ用としても用いることができる。
前記制御装置は、飼育水槽内の溶存酸素計（ＤＯ計）により、酸素供給量の不足を確認した際、電磁弁を「開」にする指令を出し、電磁弁が「開」となることで、酸素ボンベから酸素を供給することができる。また、酸素供給量が通常の制御範囲内となった際に、電磁弁を「閉」にする指令を出し、電磁弁が「閉」となることで、酸素ボンベからの酸素の供給を停止することができる。
前記制御装置としては、電磁弁の開閉を自動化することができるシステムであることが好ましい。電磁弁の開を行う飼育水の溶存酸素量の値を、設定下限値として設定し、前記飼育水の溶存酸素量が設定下限値以下となった場合に、自動的に、前記制御装置により電磁弁が「開」とされ、酸素を供給するシステムであることが好ましい。
そして、酸素が供給され、飼育水の溶存酸素量が通常制御している制御しきい値となった場合に、自動的に、前記制御装置により電磁弁が「閉」とされ、酸素の供給を停止するシステムであることが好ましい。
このシステムを採用することで、停電時に加え、通常時においても、電磁弁を利用した、酸素低下時のバックアップが可能となる。
前記制御装置としては、プログラマブルロジックコントローラ（ＰＬＣ）等を好ましく用いることができる。
【００１３】
以下に、本発明を実施するための形態を図面に基づいて説明する。なお、以下の説明はこの発明における実施の形態の例を例示するものであって、本発明の範囲を限定するものではない。
【００１４】
（第１の実施形態）
第１の実施形態を図１及び図２に基づいて説明する。
図１及び図２に示すように、酸素ボンベ１の出口に、通電時は「閉」、かつ非通電時に「開」となる電磁弁３を設置し、電磁弁３の下流側には配管４、エアストーン５を設置し、飼育水槽６の飼育水７に酸素を供給できるようにした酸素供給装置を飼育水槽６に設ける。
図１は、通常時の、電磁弁に通電している状態を示す。元弁２は開いているが、電磁弁３は閉じているため、飼育水槽７に酸素は供給されない。
図２は、停電時に電磁弁に通電されない状態を示す。電磁弁３が非通電となり、電磁弁３が開き、元弁２が開いているため飼育水７に酸素が供給される。
【００１５】
（第２の実施形態）
第２の実施形態を図３に基づいて説明する。
酸素ボンベ１の出口に、通電時は「閉」、かつ非通電時に「開」となる電磁弁３を設置する。また、電磁弁３の下流側には配管４、エアストーン５を設置する。
また、飼育水７の溶存酸素量を測定するＤＯ計８と、ＤＯ計の値が設定下限値以下となった場合に、電磁弁３への通電を制御し、非通電として電磁弁３を開く制御装置９として、プログラマブルロジックコントローラ（ＰＬＣ）とを設けた酸素供給装置を飼育槽６に設置する。
図３に示す酸素供給装置は、通常時は電磁弁は通電されて閉じている。飼育水のＤＯ値はＤＯ計８によって測定され、別途通常酸素を供給するラインで制御しきい値に制御されている。しかし、図４に示すように、ＤＯ値が制御しきい値を更に下がって、設定下限値以下に低下し続けた際に、制御装置９の指令により電磁弁３が開き、酸素を供給することにより、ＤＯ値を迅速に上げることができる。
ＤＯ値が制御しきい値に戻った際には、電磁弁は閉じるように設定する。
また、停電時においても、電磁弁３が非通電となって電磁弁３が開き、元弁２が開となっているため、飼育水７に酸素を供給することができる。
【符号の説明】
【００１６】
１  酸素ボンベ
２  元弁
３  電磁弁
４  配管
５  エアストーン
６  飼育水槽
７  飼育水
８  ＤＯ計
９  制御装置
【図１】
2018201343.tif 000003
【図２】
2018201343.tif 000004
【図３】
2018201343.tif 000005
【図４】
2018201343.tif 000006